(57)【要約】【課題】  ビデオカメラなどの撮像装置やＩＣレコーダなどの音響装置に常時装着して使用することと、必要時にだけ装着して使用することとを適宜選択して使用することができるという利便性を満たし、持ち運ぶ際に嵩張って不便であるというユーザにとっての不都合をそれほど感じなくする。【解決手段】  ばね体１０と、可動体２０と、３本の脚体３１，３２，３３と、脚姿勢規制体４０と、蓋体７０とを有し、可動体２０と脚姿勢規制体４０とを筐体１０に収容する。筐体１０は、機器に組み込まれたり、必要時に機器に着脱される。可動体２０を下降させたときに、脚姿勢規制体４０の孔部４１，４２，４３の作用で３本の脚体３１，３２，３３が開いて筐体１０の下方に突出する。【選択図】        図１
2008268696.tif 000002
【特許請求の範囲】
【請求項１】
ばね体と、このばね体によって常時下降方向に付勢されかつこのばね体の付勢に抗して上昇される昇降可能な可動体と、この可動体に、上端部が互いに平行な横軸を介して揺動可能に垂下り状に連結された３本の脚体と、上記可動体の昇降領域よりも下方に設置されて３本の上記脚体が摺動可能に挿通された孔部を備える脚姿勢規制体と、上記可動体を上記ばね体の付勢に抗してその昇降領域の上限位置に位置規制するロック機構と、このロック機構による可動体の位置規制を解除してその可動体が昇降領域内で昇降することを許容させるロック解除機構と、を有し、上記可動体と脚姿勢規制体とが、機器に組み込まれた筐体又は機器に着脱可能な筐体に収容されていると共に、上記可動体がその昇降領域を下降するのに伴って３本の上記脚体が筐体の下方に突き出すように構成されていて、
脚姿勢規制体の上記孔部が、上記可動体がその昇降領域を下降したときに３本の脚体を摺動させてそれらを開姿勢になるように上記横軸回りに揺動させ、かつ、上記可動体がその昇降領域を上昇したときに３本の脚体を摺動させてそれらを閉姿勢になるように上記横軸回りに揺動させる各別の摺動面を有してなることを特徴とする三脚式スタンドユニット。
【請求項２】
３本の上記脚体は、中央部の１本の第１の脚体とその第１の脚体を挟む両側の２本の第２及び第３の脚体とに区別されていて、第２及び第３の２本の脚体の上端部を上記可動体に連結している第２及び第３の２箇所の横軸が互いに同心状に位置し、かつ、第１の脚体の上端部を揺動可能に上記可動体に連結している第１の横軸が、第２及び第３の上記横軸の偏心方向にずれて位置している請求項１に記載した三脚式スタンドユニット。
【請求項３】
３本の脚体を摺動させる各別の摺動面が、それら３本の脚体が各別に挿通された３つの上記孔部の孔縁のそれぞれによって形成されている請求項２に記載した三脚式スタンドユニット。
【請求項４】
上記ロック機構及びロック解除機構が、上記筐体の下端に開閉可能に取り付けられて閉鎖時に３本の脚体の下端を支え、かつ、開放時に３本の脚体から縁切りされる蓋体でなる請求項３に記載した三脚式スタンドユニット。
【発明の詳細な説明】
【技術分野】
【０００１】
本発明は、撮像機器や音響機器を定位置に設置するときに使用される三脚式スタンドユニット、特に、便利に持ち運ぶことできて必要に応じて撮像機器や音響機器を定位置に設置することに用いることのできる三脚式スタンドユニットに関する。
【背景技術】
【０００２】
従来、名刺などを真上からマクロ撮影するようなときに、名刺の真上でデジタルカメラを下向きに設置しやすくなるための対策として、デジタルカメラに３本以上の支柱を格納したものが提案されていた（たとえば、特許文献１参照）。また、カメラに３本の脚を出入れ可能に取り付けておき、必要時にはそれらの脚を開いてカメラを設置することができるようにすることも提案されていた（たとえば、特許文献２、特許文献３参照）。
【特許文献１】特開２０００−１０１８４号公報
【特許文献２】実開昭５５−９５１２０号公報
【特許文献３】実開平２−１２３９２７号公報
【発明の開示】
【発明が解決しようとする課題】
【０００３】
特許文献１に記載されている技術は、デジタルカメラを真下に向けて設置するのに特化しているために、撮像装置や音響装置の広範な使用場所でいつずも便利に使用することができるものではない。これに対し、特許文献２や特許文献３に記載されている技術は、カメラ自体に３本の脚を組み付けてあるので、別に３脚を持ち歩く手間が省けるという長所があり、しかも、手軽にどこででもカメラを定位置に設置して使用することができるという長所がある。
【０００４】
しかしながら、特許文献２や特許文献３に記載されているもののように、カメラに直接に３本の脚を取り付けてあると、場合によっては、その３本の脚がじゃまになってカメラの取扱性が損なわれるということも起こり得る。また、カメラ自体の重さがそれに取り付けられている３本の脚によって重くなって持ち運びに不便を感じたりすることもあり得る。
【０００５】
そこで、本発明は、撮像装置や音響装置に常時装着して使用することと、必要時にだけ装着して使用することとを適宜選択することができ、しかも、嵩張らずに携行することができて、いつでもどこでも撮像装置や音響装置を定位置に設置してその使用の利便性を高めることのできる三脚式スタンドユニットを提供することを目的とする。
【課題を解決するための手段】
【０００６】
本発明に係る三脚式スタンドユニットは、ばね体と、このばね体によって常時下降方向に付勢されかつこのばね体の付勢に抗して上昇される昇降可能な可動体と、この可動体に、上端部が互いに平行な横軸を介して揺動可能に垂下り状に連結された３本の脚体と、上記可動体の昇降領域よりも下方に設置されて３本の上記脚体が摺動可能に挿通された孔部を備える脚姿勢規制体と、上記可動体を上記ばね体の付勢に抗してその昇降領域の上限位置に位置規制するロック機構と、このロック機構による可動体の位置規制を解除してその可動体が昇降領域内で昇降することを許容させるロック解除機構と、を有し、上記可動体と脚姿勢規制体とが、機器に組み込まれた筐体又は機器に着脱可能な筐体に収容されていると共に、上記可動体がその昇降領域を下降するのに伴って３本の上記脚体が筐体の下方に突き出すように構成されている。また、脚姿勢規制体の上記孔部が、上記可動体がその昇降領域を下降したときに３本の脚体を摺動させてそれらを開姿勢になるように上記横軸回りに揺動させ、かつ、上記可動体がその昇降領域を上昇したときに３本の脚体を摺動させてそれらを閉姿勢になるように上記横軸回りに揺動させる各別の摺動面を有している。
【０００７】
この構成の三脚式スタンドユニットにおいて、その筐体が機器に組み込まれているものでは撮像装置や音響装置に常時装着して使用することが可能であり、その筐体が機器に着脱可能になっているものでは、必要なときだけに機器に装着して使用することが可能である。そのため、大形の３脚を別途持ち歩く手間が省けるだけでなく、普段は３脚を使ったりしない人であっても、３脚を使いたいという機会に直面したときに手軽に使用することができるようになるという利点がある。
【０００８】
また、この発明の三脚式スタンドユニットは、ばね体、可動体、可動体に取り付けられた３本の脚、脚姿勢規制体、ロック機構及びロック解除機構などによって構成されていて、３本の脚の開閉が、可動体の昇降動作を通じて自動的に行われるようになっているので、ロック解除機構を操作して可動体を昇降領域内で下降させるという動作を行わせるだけで３本の脚を開いて設置することができる。そのために動作簡便性に優れていると云える。
【０００９】
本発明において、３本の上記脚体は、中央部の１本の第１の脚体とその第１の脚体を挟む両側の２本の第２及び第３の脚体とに区別されていて、第２及び第３の２本の脚体の上端部を上記可動体に連結している第２及び第３の２箇所の横軸が互いに同心状に位置し、かつ、第１の脚体の上端部を揺動可能に上記可動体に連結している第１の横軸が、第２及び第３の上記横軸の偏心方向にずれて位置している、という構成を採用することが可能である。また、３本の脚体を摺動させる各別の摺動面が、それら３本の脚体が各別に挿通された３つの上記孔部の孔縁のそれぞれによって形成されている、という構成を採用することが可能である。また、上記ロック機構及びロック解除機構が、上記筐体の下端に開閉可能に取り付けられて閉鎖時に３本の脚体の下端を支え、かつ、開放時に３本の脚体から縁切りされる蓋体でなるという構成を採用することも可能である。
【発明の効果】
【００１０】
以上のように、本発明に係る３脚式スタンドユニットは、それがユニット形式を採っているためにビデオカメラなどの撮像装置やＩＣレコーダなどの音響装置に常時装着して使用することと、必要時にだけ装着して使用することとを適宜選択して使用することができるという利便性があるだけでなく、カメラ用３脚として汎用されている大形の三脚のように持ち運ぶ際に嵩張って不便であるというユーザにとっての不都合をそれほど感じなくすることのできる利点がある  また、普段は３脚を使ったりしない人であっても、３脚を使いたいという機会に直面したときに手軽に使用することができるようになるという利点がある。
【００１１】
特に、ロック機構及びロック解除機構が、筐体の下端に開閉可能に取り付けられて閉鎖時に３本の脚体の下端を支え、かつ、開放時に３本の脚体から縁切りされる蓋体でなる、という構成を備えているものによると、蓋体を開けるだけで３本の脚が開いて設置可能になるために取扱性に優れ、脚を引き出してから開くといった煩わしい操作を行わずに即座に撮像装置や音響機器を設置することができるという利便性がある。
【発明を実施するための最良の形態】
【００１２】
図１は本発明に係る三脚式スタンドユニットの構成例を説明的に示した概略斜視図、図２は可動体２０の平面図、図３は可動体２０に対する脚体３１，３２，３３の取付構造例を示した部分正面図、図４は脚姿勢規制体４０の平面図、図５はロック機構及びロック解除機構としての蓋体７０の動作を示した縦断面図である。
【００１３】
この三脚式スタンドユニットでは、箱形の筐体１０に、板状の可動体２０とこの可動体２０に連結されている第１、第２及び第３の３本の脚体３１，３２，３３と、板状の脚姿勢規制体４０と、コイルばねでなるばね体５０とが収容されている。
【００１４】
図３のように、可動体２０と第１、第２及び第３の３本の脚体３１，３２，３３とは、それぞれの脚体３１，３２，３３の上端部を、可動体２０に取り付けた第１、第２及び第３の横軸６１，６２，６３に揺動自在に結合することによって連結されていて、それらの横軸６１，６２，６３は互いに平行になっている。また、図２に示されているように、そのうちの中央部の第１横軸６１を挟む両側の第２及び第３の横軸６２，６３が互いに同心状に位置して横に並んでいるのに対し、中央部の第１横軸６１は、第２及び第３の横軸６２，６３に対して偏心方向にずれて位置している。そして、可動体２０が筐体１０の内部で昇降可能であって、その可動体２０と筐体１０の天板部１１との間に上記ばね体５０が介在されている。
【００１５】
脚姿勢規制体４０は、図１のように、筐体１０の内部で、上記した可動体２０の昇降領域の下方の定位置に設置されていて、図４のように中央部の矩形の第１孔部４１とその両側の矩形の第２及び第３の孔部４２，４３とを備えている。そして、可動体２０に垂下り状に連結されている第１、第２及び第３の３本の脚体３１，３２，３３のそれぞれが、この脚姿勢規制体４０の第１、第２及び第３の孔部４１，４２，４３に各別に挿通されている。なお、図２には仮想線で上記脚姿勢規制体４０の第１、第２及び第３の孔部４１，４２，４３を追記することによって、それらの孔部４１，４２，４３と可動体２０に設けられている第１、第２及び第３の横軸６１，６２，６３との位置関係を明らかにしてある。
【００１６】
図５のように、筐体１０の下端は開放していて、その下端開放口１２に蓋体７０が開閉可能に取り付けられている。具体的には、蓋体７０が板状に形成されていて、その一端部が軸体７１によって筐体１０の片側の側板部１３の下端に矢印Ａのように開閉動可能に連結されているのに対し、蓋体７０の他端部（自由端部）に具備された係止部７２が、筐体１０の他側の側板部１４の下端に設けられた内向き突起７３に対して係脱可能に構成されている。この蓋体７０は、可動体２０をばね体５０の付勢に抗してその昇降領域の上限位置に位置規制するロック機構の役割を果たしていることに加えて、このロック機構による可動体２０の位置規制を解除してその可動体２０が昇降領域内で昇降することを許容させるロック解除機構の役割をも果たしている。この点をさらに具体的に説明すると、図５に実線で示したように、蓋体７０を閉じてその係止部７２を内向き突起７３に係合させると、その蓋体７０が閉位置に位置規制されて、そのときには図１のように３本の脚体３１，３２，３３の下端が蓋体７０により支えられて押し上げられている。そのため、可動体２０がその昇降領域の上限位置まで押し上げられて位置規制されている。このように３本の脚体３１，３２，３３の下端を支えて可動体２０をその昇降領域の上限位置に位置規制するための蓋体２０の役割が蓋体７０のロック機構としての役割である。これに対し、蓋体７０の係止部７２を内向き突起７３から離脱させて蓋体７０を図５の仮想線のように開いたときには、蓋体７０のロック機構としての役割が解除されるために、ばね体５０の付勢によって可動体２０が押し下げられ、それに伴って３本の脚体３１，３２，３３が筐体１０の下端開放口１２の下方に突出する。このように蓋体７０が開くことによって３本の脚体３１，３２，３３が筐体１０の下端開放口１２の下方に突出することを許容する役割が蓋体７０のロック解除機構としての役割である。
【００１７】
以上のように構成されている三脚式スタンドユニットの動作を次に説明する。
【００１８】
図６（Ａ）は蓋体７０が閉じているときの第１脚体３１の姿勢を示した断面図、同図（Ｂ）は蓋体７０が開いたときの第１脚体３１の姿勢を示した断面図である。また、図７（Ａ）は蓋体７０が閉じているときの第２脚体３２の姿勢を示した断面図、同図（Ｂ）は蓋体７０が開いたときの第２脚体３２の姿勢を示した断面図である。さらに、図８（Ａ）は蓋体７０が閉じているときの第１及び第２の脚体３１，３２の姿勢を示した一部破断側面図、同図（Ｂ）は蓋体７０が開いたときの第１及び第２の脚体３１，３２の姿勢を示した一部破断側面図である。
【００１９】
図６（Ａ）のように、蓋体７０が閉じているときにはその蓋体７０がロック機構としての役割を果たすので、第１脚体３１の下端が蓋体７０により支えられて可動体２０がばね体５０の付勢に抗してその昇降領域の上限位置まで押し上げられている。したがって、この状態では、第１脚体３１はその全長部分が筐体１０に収容されている。この状態から蓋体７０を開くと、図６（Ｂ）のように、ばね体５０の付勢によって可動体２０が筐体１０の内部で押し下げられてその昇降領域の下限位置まで下降する。そのため、脚姿勢規制体４０の第１孔部４１に挿通されている第１脚体３１が、その第１孔部４１の孔縁によって形成される摺動面４１ａと摺動して図示のように傾斜角度を拡大する方向に開いて筐体１０の下端開放口１２から突出する。これと同様の作用が、第２及び第３の各脚体３２，３３に対しても行われる。
【００２０】
すなわち、第２脚体３２については、図７（Ａ）のように、蓋体７０が閉じているときにはその蓋体７０がロック機構としての役割を果たすので、第２脚体３２の下端が蓋体７０により支えられて可動体２０がばね体５０の付勢に抗してその昇降領域の上限位置まで押し上げられている。したがって、この状態では、第２脚体３２はその全長部分が筐体１０に収容されている。この状態から蓋体７０を開くと、図７（Ｂ）のように、ばね体５０の付勢によって可動体２０が筐体１０の内部で押し下げられてその昇降領域の下限位置まで下降する。そのため、脚姿勢規制体４０の第２孔部４２に挿通されている第２脚体３２が、その第２孔部４２の孔縁によって形成される摺動面４２ａと摺動して図示のように傾斜角度を拡大する方向に開いて筐体１０の下端開放口１２から突出する。第３脚体についても同様である。
【００２１】
したがって、図８に示したように、蓋体７０が閉じているときには、第１及び第２の脚体３１，３２（第３脚体についても同様）の全長部分が筐体１０に収容され、蓋体７０が開いたときには、第１及び第２の脚体３１，３２（第３脚体についても同様）が筐体１０の下端開放口１２から大きく傾いて下方に突出する。このため、３本の脚体３１，３２，３３の下端を接地させると、それらの３本の脚体３１，３２，３３によって筐体１０が安定性よく自立する。
【００２２】
以上説明した三脚式スタンドユニットにおいて、その筐体１０は、撮像装置や音響装置などの機器に組み込むことも、それらの機器に着脱可能とすることも可能である。筐体１０を機器に組み込んでおくと、その筐体１０が組み込まれた機器に常に三脚式スタンドユニットが備わるようになるので、必要に応じてその三脚式スタンドユニットを使って機器を自立させることが可能になる。これに対し、筐体１０を機器に対して着脱可能としておくと、必要なときだけ三脚式スタンドユニットを機器に装着してその機器を自立させることが可能になる。筐体１０を機器に組み付ける手段としては、筐体１０を機器にビス止めしたり接着剤で接合したりする手段を採用することができる。また、筐体１０を機器に着脱可能にする手段としては、筐体１０と機器とを係脱式とすることによって可能になる。
【００２３】
図９は機器Ｓに組み付けるか、又は、機器Ｓに離脱可能に装着した上記三脚式スタンドユニットの３本の脚体３１，３２，３３を開いてその機器Ｓを安定性よく自立させた状態を示してある。機器Ｓには、ジデオカメラやカメラ、ＩＣレコーダなどが含まれる。
【図面の簡単な説明】
【００２４】
【図１】本発明に係る三脚式スタンドユニットの構成例を説明的に示した概略斜視図である。
【図２】可動体の平面図である。
【図３】可動体に対する脚体の取付構造例を示した部分正面図である。
【図４】脚姿勢規制体の平面図である。
【図５】ロック機構及びロック解除機構としての蓋体の動作を示した縦断面図である。
【図６】（Ａ）は蓋体が閉じているときの第１脚体の姿勢を示した断面図、（Ｂ）は蓋体が開いたときの第１脚体の姿勢を示した断面図である。
【図７】（Ａ）は蓋体が閉じているときの第２脚体の姿勢を示した断面図、（Ｂ）は蓋体が開いたときの第２脚体の姿勢を示した断面図である。
【図８】（Ａ）は蓋体が閉じているときの第１及び第２の脚体の姿勢を示した一部破断側面図、（Ｂ）は蓋体が開いたときの第１及び第２の脚体の姿勢を示した一部破断側面図である。
【図９】使用状態の概略斜視図である。
【符号の説明】
【００２５】
１０  筐体
２０  可動体
３１  第１脚体
３２  第２脚体
３３  第３脚体
４０  脚姿勢規制体
４１  第１孔部
４１ａ，４２ａ  摺動面
４２  第２孔部
４３  第３孔部
５０  ばね体
６１  第１横軸
６２  第２横軸
６３  第３横軸
７０  蓋体（ロック機構及びロック解除機構）
【図１】
2008268696.tif 000003
【図２】
2008268696.tif 000004
【図３】
2008268696.tif 000005
【図４】
2008268696.tif 000006
【図５】
2008268696.tif 000007
【図６】
2008268696.tif 000008
【図７】
2008268696.tif 000009
【図８】
2008268696.tif 000010
【図９】
2008268696.tif 000011